(57)【要約】【課題】高いセキュリティを維持しながら運用面でのユーザ利便性を向上させること。【解決手段】電子機器に組み込まれ、該電子機器の利用者の認証に用いられ、該認証に連続して規定回数失敗すると閉塞状態になる認証用チップであって、  特定の携帯型リーダライタからの非接触のアクセスにより閉塞状態が解除されることを特徴とする認証用チップ。閉塞状態が解除される代わりに、該電子機器が備える記憶手段からデータを読み出させても良い。【選択図】図１
2010218214.tif 000002
【特許請求の範囲】
【請求項１】
電子機器に組み込まれ、該電子機器の利用者の認証に用いられ、該認証に連続して規定回数失敗すると閉塞状態になる認証用チップであって、
特定の携帯型リーダライタからの非接触のアクセスにより閉塞状態が解除されることを特徴とする認証用チップ。
【請求項２】
電子機器に組み込まれ、該電子機器の利用者の認証に用いられ、該認証に連続して規定回数失敗すると閉塞状態になる認証用チップであって、
特定の携帯型リーダライタからの非接触のアクセスにより該電子機器が備える記憶手段からデータを読み出させることを特徴とする認証用チップ。
【請求項３】
認証用チップを組み込んだ電子機器であって、
該認証用チップは、該電子機器の利用者の認証に用いられ、該認証に連続して規定回数失敗すると閉塞状態になり、特定の携帯型リーダライタからの非接触のアクセスにより閉塞状態が解除されることを特徴とする電子機器。
【請求項４】
認証用チップを組み込んだ電子機器であって、
該認証用チップは、該電子機器の利用者の認証に用いられ、該認証に連続して規定回数失敗すると閉塞状態になり、特定の携帯型リーダライタからの非接触のアクセスにより該電子機器が備える記憶手段からデータを読み出させることを特徴とする電子機器。
【請求項５】
電子機器に組み込まれ、該電子機器の利用者の認証に用いられ、該認証に連続して規定回数失敗すると閉塞状態になる認証用チップに非接触でアクセスして、該閉塞状態を解除することを特徴とする携帯型リーダライタ。
【請求項６】
電子機器に組み込まれ、該電子機器の利用者の認証に用いられ、該認証に連続して規定回数失敗すると閉塞状態になる認証用チップに非接触でアクセスして、該電子機器が備える記憶手段からデータを読み出すことを特徴とする携帯型リーダライタ。
【発明の詳細な説明】
【技術分野】
【０００１】
本発明は、認証用チップ及び電子機器並びに携帯型リーダライタに関する。
【背景技術】
【０００２】
従来から、簡便且つ精度の高いコンピュータアクセス制御を可能にするために、ユーザが有する第１の端末からサーバにアクセスするのに用いるＩＤ、パスワードそのものを当初はロック状態として使用不可能としておき、ユーザが有する第１の端末とは別の第２の端末からロック解除命令がなされた場合に限り、当該ＩＤ、パスワードを使用可能状態に変更し（ロック解除状態とし）、その後第１の端末から通常のＩＤ、パスワードによる認証を行わせることが知られている（例えば特許文献１参照）。
【０００３】
ところで現在、電子機器として、パソコン、携帯電話、カーナビ等、コンピュータ或いはそれを組み込んだものが市場に流通しているが、電子機器のセキュリティ対策手段として、認証用チップが電子機器に組み込まれ始めている。
【０００４】
認証用チップは、電子機器の利用者の認証と、電子機器に実装されるハードウェア及びハードウェア上で動作するＯＳ（オペレーティングシステム）更にはアプリケーションの各真贋判定とをするために必要なデバイスである。
【０００５】
しかしながら認証用チップは、そのセキュリティの仕様上、人為的なミスによるパスフレーズの打ち間違えなどにより連続して規定回数認証に失敗したり、ハードウェアの経年変化による誤認識から閉塞し、以降、電子機器が起動不可能となる事態が発生する。
【０００６】
現状運用されている認証用チップは、一度閉塞すると管理者権限を持つ者も閉塞解除する事が出来ず、運用面での利便性が著しく損なわれる。
【０００７】
更に、電子機器に組み込まれた認証用チップが、一度閉塞した場合、メンテナンスする為の起動も不可能となり電子機器そのものが利用不可能となる。
【先行技術文献】
【特許文献】
【０００８】
【特許文献１】特開２００３−１６７８４９号公報
【発明の概要】
【発明が解決しようとする課題】
【０００９】
本発明は斯かる背景技術に鑑みてなされたもので、高いセキュリティを維持しながら運用面でのユーザ利便性を向上させることを課題とする。
【課題を解決するための手段】
【００１０】
本発明において上記課題を解決するために、まず請求項１の発明では、電子機器に組み込まれ、該電子機器の利用者の認証に用いられ、該認証に連続して規定回数失敗すると閉塞状態になる認証用チップであって、
特定の携帯型リーダライタからの非接触のアクセスにより閉塞状態が解除されることを特徴とする認証用チップとしたものである。
【００１１】
また請求項２の発明は、電子機器に組み込まれ、該電子機器の利用者の認証に用いられ
、該認証に連続して規定回数失敗すると閉塞状態になる認証用チップであって、
特定の携帯型リーダライタからの非接触のアクセスにより該電子機器が備える記憶手段からデータを読み出させることを特徴とする認証用チップとしたものである。
【００１２】
また請求項３の発明は、認証用チップを組み込んだ電子機器であって、
該認証用チップは、該電子機器の利用者の認証に用いられ、該認証に連続して規定回数失敗すると閉塞状態になり、特定の携帯型リーダライタからの非接触のアクセスにより閉塞状態が解除されることを特徴とする電子機器としたものである。
【００１３】
また請求項４の発明は、認証用チップを組み込んだ電子機器であって、
該認証用チップは、該電子機器の利用者の認証に用いられ、該認証に連続して規定回数失敗すると閉塞状態になり、特定の携帯型リーダライタからの非接触のアクセスにより該電子機器が備える記憶手段からデータを読み出させることを特徴とする電子機器としたものである。
【００１４】
また請求項５の発明は、電子機器に組み込まれ、該電子機器の利用者の認証に用いられ、該認証に連続して規定回数失敗すると閉塞状態になる認証用チップに非接触でアクセスして、該閉塞状態を解除することを特徴とする携帯型リーダライタとしたものである。
【００１５】
また請求項６の発明は、電子機器に組み込まれ、該電子機器の利用者の認証に用いられ、該認証に連続して規定回数失敗すると閉塞状態になる認証用チップに非接触でアクセスして、該電子機器が備える記憶手段からデータを読み出すことを特徴とする携帯型リーダライタとしたものである。
【発明の効果】
【００１６】
本発明は、高いセキュリティを維持しながら運用面でのユーザ利便性を向上させることができるという効果がある。
【図面の簡単な説明】
【００１７】
【図１】本発明の認証用チップを組み込んだ電子機器の構成例と携帯型リーダライタとを示す図。
【発明を実施するための形態】
【００１８】
以下に、本発明の最良の一実施形態を説明する。
【００１９】
本発明の認証用チップは、図１に示すように、電子機器に組み込まれ、電子機器の利用者の認証と、電子機器に実装されるハードウェア及びハードウェア上で動作するＯＳ（オペレーティングシステム）並びにアプリケーションの各真贋判定とに用いられる。
【００２０】
本発明の認証用チップは、人為的なミスによるパスフレーズの打ち間違えなど連続して規定回数認証に失敗したり、ハードウェアの経年変化による誤認識から閉塞状態になる。本発明の認証用チップが閉塞状態であると認証用チップ電子機器は起動不可能となる。
【００２１】
本発明の認証用チップには、図１に示すように、アンテナが付属している。本発明の認証用チップは、このアンテナを介して非接触で、管理者が所持する特定の携帯型リーダライタからアクセスされる。
【００２２】
閉塞状態にある本発明の認証用チップは、管理者が所持する特定の携帯型リーダライタからの非接触のアクセスにより閉塞状態が解除される。本発明の認証用チップの閉塞状態
が解除されると、再び電子機器の起動が可能になる。
【００２３】
或いは、閉塞状態が解除される代わりに、管理者が所持する特定の携帯型リーダライタからの非接触のアクセスにより電子機器が備えるＨＤＤやＵＳＢメモリなどの補助記憶装置からデータを読み出させても良い。
【図１】
2010218214.tif 000003